(57)【要約】【課題】電子機器の小型化が可能になるスイッチ装置を提供することを目的とする。【解決手段】回転操作可能なズームスイッチの操作部材と一体的に回動操作するスイッチ板２１をケース内部に設け、このスイッチ板２１に形成されたスイッチ作用部２１−１の切り欠き２１−２に２接点スイッチ２６のスイッチレバー２６−１を配置して望遠及び広角のスイッチ信号を得ると共に、スイッチ板２１に一体形成された突出摺動部２１−３を側方に配置されたバネ部材２２で挟むことによって回動動作したスイッチ板２１を元の位置に復帰させる。【選択図】      図４
2005020658.tif 000002
【特許請求の範囲】
【請求項１】
ケース本体と、このケース本体に設けられ回動操作可能に配置された操作部材と、この操作部材に取り付けられ前記操作部材の回動操作に連動して一体的に回動動作してスイッチ入力を行う前記ケース本体の内部に配置された可動部材と、この可動部材の側方に配置され前記操作部材の回動に連動して回動動作された前記可動部材を回動動作前の位置に復帰させる弾性部材とを備えたことを特徴とするスイッチ装置。
【請求項２】
前記弾性部材は一対の弾性作動部を備えており、且つ前記可動部材には突出部が形成され、前記突出部が前記一対の弾性作動部の間に配置されていることを特徴とする請求項１に記載のスイッチ装置。
【請求項３】
前記弾性部材は前記可動部材の側方で且つ前記ケース本体と一体に形成された取付部材に取り付けられていることを特徴とする請求項１又は２に記載のスイッチ装置。
【請求項４】
カメラ機能を備えた撮像装置のケース本体と、このケース本体に設けられ回動操作可能に配置された操作部材と、前記操作部材の中心部にはレリーズ釦スイッチの操作部が配置されており、この操作部材に取り付けられ前記操作部材の回動操作に連動して一体的に回動動作してスイッチ入力を行う前記ケース本体の内部に配置された可動部材と、この可動部材の側方に配置され前記操作部材の回動に連動して回動動作された前記可動部材を回動動作前の位置に復帰させる弾性部材とを備え、
前記操作部材はカメラ機能のズーム操作部材であることを特徴とするスイッチ装置を用いた撮像装置。
【発明の詳細な説明】
【０００１】
【発明の属する技術分野】
本発明は、回動操作可能なスイッチ装置に関する。
【０００２】
【従来の技術】
従来、電子カメラには電子的にズーム動作を行う電子ズームカメラが広く使用されていた。また、最近では電子ズームとレンズを駆動させる光学ズーム機能を併用する方式も採用されている。従来のズームスイッチの方式はズームスイッチレバーの中央部にレリーズボタンを有し、前記ズームスイッチレバーはシーソー構造により前記ズームスイッチレバーの右を押し下げると望遠動作、前記ズームスイッチレバーの左を押し下げると広角動作をする構造になっている（例えば、特許文献１参照。）。
【０００３】
また、レリーズボタンとは位置を分離してズームスイッチレバーは光学ズーム用とし、光学ズームスイッチレバーの中央部に電子ズームボタンを備えた方式が開示されている（例えば、特許文献２参照。）。
【０００４】
【特許文献１】
特開平７−１９９０３１号公報
【特許文献２】
特開２０００−１７１８７２号公報
【０００５】
【発明が解決しようとする課題】
しかしながら、従来のズームスイッチの方式はシーソー構造によりスイッチレバーの右を押し下げると望遠動作、スイッチレバーの左を押し下げると広角動作をする構造になっている為、スイッチ回路部材が右用と左用とが必要になる。さらに撮影時にレリーズボタンを押し下げと同時に左右いずれかのズームスイッチレバーが押されるとズーム機能優先になりシャッターチャンスを逃がしてしまうと言う欠点がある。また、スイッチ動作はストローク動作の為カメラ本体内部に復帰用コイルバネ部材とスイッチ回路部材が重なる配置になる為、内部スペースが広く必要になりカメラの小型化に対し問題を有している。
【０００６】
本発明は、このような従来の問題点を考慮してなされたものであり、カメラのような電子機器の内部の配置スペースを削減し電子機器本体の小型化を計ることが出来るスイッチ装置を提供することを目的とする。
【０００７】
【課題を解決するための手段】
上記目的を達成するため、請求項１の発明によるスイッチ装置は、ケース本体と、このケース本体に設けられ回動操作可能に配置された操作部材と、この操作部材に取り付けられ前記操作部材の回動操作に連動して一体的に回動動作してスイッチ入力を行う前記ケース本体の内部に配置された可動部材と、この可動部材の側方に配置され前記操作部材の回動に連動して回動動作された前記可動部材を回動動作前の位置に復帰させる弾性部材とを備えたことを特徴とする
【０００８】
この構造では、回動動作する可動部材を元に位置に復帰させる弾性部材を可動部材の側方に配置させた構造の為、スイッチ装置自体を薄型化出来るばかりか、弾性部材の取付け位置に自由度を持たせることが出来、他の内部部品との干渉を最小限にし小型化が可能になる。
【０００９】
請求項２の発明は、前記弾性部材は一対の弾性作動部を備えており、且つ前記可動部材には突出部が形成され、前記突出部が前記一対の弾性作動部の間に配置されていることを特徴とする。
【００１０】
この構造では、一対の弾性作動部の間に可動部材の突出部を配置することによって可動部材の復帰を行わせているので、左右いずれの方向に回動されたとしても容易の元の位置に復帰させることが出来るものである。
【００１１】
請求項３の発明は、前記弾性部材は前記可動部材の側方で且つ前記ケース本体と一体に形成された取付部材に取り付けられていることを特徴とする。この構造では、ケースと一体に形成された取付部に弾性部材を取り付けてあるので部品点数も少なく且つ安定した取付が行えるものである。
【００１２】
請求項４の発明は、カメラ機能を備えた撮像装置のケース本体と、このケース本体に設けられ回動操作可能に配置された操作部材と、前記操作部材の中心部にはレリーズ釦スイッチの操作部が配置されており、この操作部材に取り付けられ前記操作部材の回動操作に連動して一体的に回動動作してスイッチ入力を行う前記ケース本体の内部に配置された可動部材と、この可動部材の側方に配置され前記操作部材の回動に連動して回動動作された前記可動部材を回動動作前の位置に復帰させる弾性部材とを備え、前記操作部材はカメラ機能のズーム操作部材であることを特徴とする。即ち、本発明によるスイッチ装置を用いた撮像装置は、カメラ機能のズームスイッチとして用いることにより、カメラ機能を備えた撮像装置の小型化が図れるものである。
【００１３】
【発明の実施の形態】
以下に、本発明の実施の形態を図面を参照して説明する。
【００１４】
図１及び図２は、カメラ機能を備えた電子機器、例えばＣＣＤ等の撮像素子（図示せず）を備えた電子スチルカメラ（撮像装置）のカメラ本体１の外観図であり、図３は図１のスイッチ装置６のＡ−Ａ断面を示している。図４は図３の背面図であり、図５及び図６はそれぞれ望遠位置及び広角位置のスイッチ入力状態の図を示している。
【００１５】
図１に示す様に、カメラ本体１はほぼ箱形状に構成されており前面にはレンズ２−１を備えた沈胴式のズームレンズ部２が略中央下寄りに配置されており、前面右上側にはストロボ発光窓３、前面中央上側に対物ファインダー窓４、前面左上側にＡＦ（オートフォーカス）及び露出用の測光窓５が配置されている。
前記カメラ本体１の上面左側にはスイッチ装置６が配置されており、前記スイッチ装置６はズーム操作用の環状部材７を備えている。また、環状部材７の内側には同心的にレリーズ（シャッター）ボタン８が配置されている。前記環状部材７には、ズームレバー９が前記環状部材７と一体的に突出されて設けられており、環状部材７を広角方向Ｙと望遠方向Ｘに回動操作させ易いようになっている。また、カメラ本体１の上面中央寄りには前記カメラ本体１の撮影モードを表示する為のモード表示部１０が配置されこのモード表示部の左側には電源スイッチ１１が配置されている。
【００１６】
図２において、前記カメラ本体１の背面右側には前記カメラ本体１の撮影モードを選択する為の十字式のモード選択スイッチ１２が備えられ、前記背面左側には撮像状態を確認する液晶モニター１３が備えられている。この液晶モニター１３はズームレンズ部２を介して光学的に受像したデジタル画像をリアルタイムで表示をしたり、記録メディアに記録保存されたデジタル画像を読み出して再生表示をする。さらに、前記背面上側には前記対物ファインダー窓４からの撮影範囲、ピントを直接確認設定する為の接眼ファインダー１４が備えられている。またカメラ本体１の底面側には電池フタ（図示せず）が備えられている。
【００１７】
図３は図１のＡ−Ａ断面を示し、カメラ本体１のケースパネル１５の上側にスペーサ１６を介して前記環状部材７がケースパネル孔１７に回動操作可能に挿入されている。前記環状部材７の軸孔１８には前記レリーズボタン８の中心から下方に突出したフック軸１９が挿入されており、このフック軸１９は溝１９−１によりバネ性をもって前記軸孔１８に挿入されている。また、前記レリーズボタン８と前記環状部材７の間には前記レリーズボタン８がフック軸方向に押圧操作された際、これを復帰させる復帰用のレリーズバネ２０が備えられている。前記フック軸１９は前記レリーズバネ２０により上方向に付勢されているが前記フック軸１９の下部に段部１９−２が突出形成されていて軸孔段部１８−１に係合する構造の為、外れることはない。
【００１８】
前記ケースパネル１５の下側には、詳細は後述するが、環状部材７と一体的に回動動作する可動部材である金属板薄板からなるスイッチ板２１が配置されている。このスイッチ板２１の下方には金属線材からなる弾性を有するバネ部材２２が前記ケースパネル１５から突出している取付け部２３，２３に係合されている。さらに、前記バネ部材２２の下方には電子部品を搭載する基板２４が配置され、この基板２４には前記フック軸１９の下側に２段操作型のレリーズスイッチ接点部２５が配置され、また、スイッチ板２１の外側にズーム用の２接点のスイッチ２６とが配置されている。
【００１９】
図４は前記スイッチ部６の背面図であり前記基板２４と前記レリーズスイッチ接点部２５をはずした図を示している。破線は前記環状部材７とズームレバー９の外形を示している。図３で示したケースパネル１５には、パネル孔１５−１が形成されており、このパネル孔１５−１には前記環状部材７の環状部底面７−１から突出したネジ孔ボス７−２が配置されている。そして前記スイッチ板２１はパネル孔１５−１を貫通した前記ネジ取付けボス７−２にネジ４０、４０で固定されている。これによって、スイッチ板２１は環状部材７の回動によって連動して一体的に回動する。前記スイッチ板２１の右側にはスイッチ作用部２１−１が突出形成されており、このスイッチ作用部２１−１の中心には切り欠き２１−２が形成されている。この切り欠き２１−２に前記スイッチ２６のスイッチレバー２６−１が挟まるように配置されている。また、前記バネ部材２２は前記取付け部２３、２３にトーションバネ部２７，２７が係合して取り付けられ且つ前記ケースパネル部１５から突出しているストッパ２８，２８にバネ動作部２２−１、２２−１が当接している。
【００２０】
このバネ動作部２２−１、２２−１にスイッチ板２１の突出摺動部２１−３が挟まれて配置されることによって前記環状部材７が予め定められた中立の位置に保持されることになる。
【００２１】
上記の構成において、環状部材７による回動操作による動作を以下に説明する。まず、撮影をする場合、図１のカメラ本体１を右手もしくは左右の手で持って構えた時、右手の人差し指で環状部材７のズームレバー９を左右に回転でき、望遠位置と広角位置に切り替えることが出来る。図５及び図６は前記ズームレバー９を備えた環状部材７の望遠位置と広角位置の前記スイッチ板２１と前記スイッチレバー２６−１の関係を示している。図５はズームレバーをθ角度分回転させて望遠側に位置した図であり前記切り欠き２１−２に配置されたスイッチ２６のスイッチレバー２６−１はスイッチ作用部２１−１に押されてθ角度分回動して第１のスイッチ入力がなされる。このスイッチ２６のスイッチ入力により前記ズームレンズ部２のモータ（図示せず）にズームレンズ部２を一定量望遠側に移動させる制御信号が出力される。また、前記ネジ取付けボス７−２は前記パネル孔１５−１の端部１５−２に当接し前期ズームレバー９の回動が規制される。
【００２２】
そして、ズームレバー９から指を離すと、バネ作動部２２−１のバネ力によってズームレバーは元の中立位置に戻り図４に示した状態となるが、ここで再度ズームレバー９を望遠側に回動させると、またスイッチ２６のスイッチ入力がなされるので更にズームレンズは一定量望遠側に移動される。このように、ズームレバー９の操作によって多段階にズーム制御を行うことが可能である。尚、図６は図５の逆方方向の動作である為説明は省略する。
【００２３】
このように、上記の構成では、ズーム用のスイッチ板２１の復帰動作を行わせるバネ部材２２を、スイッチ板２１の側方（水平方向）に配置した事により前記ケースパネル１５の下側と前記基板２４との間のスペースを少なく出来、２接点の前記スイッチ２６も１個設ければ良い為、カメラ本体１の小型化が可能になる。
【００２４】
尚、本発明は上述した実施の形態例に限定されるものではなく、本発明の趣旨を逸脱しない範囲で適宜変更可能である。例えば、前記スイッチ２６やバネ部材２２は任意の位置に配置できる。また、バネ部材２２は板バネでも樹脂材でも良い。更に、本発明は、スチルカメラ、ビデオ（ムービー）カメラ、カメラ機能付携帯電話などのカメラ機能を備えた電子機器だけでなく、カメラ機能を持たない電子機器のスイッチ装置としてもちいることが出来る。
【００２５】
【発明の効果】
以上のように、本発明によれば、ケース内部のスイッチの可動部材と基板との間のスペースを少なく出来、スイッチ装置及びスイッチ装置を用いた撮像装置の小型化が計れるという効果を有する。
【図面の簡単な説明】
【図１】本発明の実施の形態であるカメラ本体の外観図である。
【図２】同じくカメラ本体の背面の外観図である。
【図３】本発明の実施の形態によるスイッチ部の断面図である。
【図４】図３のスイッチ部の背面図である。
【図５】図３のスイッチ部の動作を示す図である。
【図６】同じく動作を示す他の図である。
【符号の説明】
１      カメラ本体
２      ズームレンズ部
７      環状部材
８      レリーズボタン
９      ズームレバー
１３    液晶モニター
１５    ケースパネル
２１    スイッチ板
２２    バネ部材
２４    基板
２６    スイッチ
２７    トーションバネ部
【図１】
2005020658.tif 000003
【図２】
2005020658.tif 000004
【図３】
2005020658.tif 000005
【図４】
2005020658.tif 000006
【図５】
2005020658.tif 000007
【図６】
2005020658.tif 000008